(57)【特許請求の範囲】
【請求項１】
１または複数の室内機と１または複数の室外機とを冷媒配管接続して構成する空気調和設備と、
前記空気調和設備と連携した動作を行う汎用機器が接続され、前記汎用機器を制御する汎用機器コントローラと、
前記空気調和設備及び前記汎用機器コントローラと専用通信線を介して通信可能に接続され、前記空気調和設備及び前記汎用機器コントローラから送られた通信に係る信号に基づいて、制御対象となる機器の制御を行うエネルギー管理手段とを備え、
前記汎用機器コントローラは、
空気調和制御に係る管理情報に基づいて前記汎用機器を制御する制御処理を行う処理構成部と、
前記専用通信線と前記処理構成部との間で前記管理情報を送受する仲介処理を行うインターフェース構成部とを有し、
前記インターフェース構成部は、前記処理構成部側に送る前記管理情報に係る、システム内の機器がそれぞれ有する管理アドレスと情報内容とが設定され、前記専用通信線を介して信号を受信すると、前記信号に含まれる前記管理アドレス及び前記情報内容を判断し、設定に係る前記管理情報を前記処理構成部側に送るものであり、前記専用通信線を介して送られる信号が、新規の送信元アドレスに対応する機器からの信号であると判断すると、管理を行うものとしてあらかじめ定められた範囲内の機器に係るアドレスで、前記設定の取り消しを受けたものでないと判断したアドレスを前記管理アドレスとして設定する空気調和制御システム。
【請求項２】
前記インターフェース構成部は、前記制御対象となる機器に対し、第１所定周期毎に前記管理情報の返信を要求すると共に、前記専用通信線を流れる信号を受信して、前記制御対象となる機器及び必要な前記管理情報であるかどうかを判断して、前記管理情報を収集処理する請求項１に記載の空気調和制御システム。
【請求項３】
前記インターフェース構成部は、前記第１所定周期よりも長い第２所定周期毎に、収集処理によって得た前記管理情報を前記処理構成部側に送る請求項２に記載の空気調和制御システム。
【請求項４】
前記インターフェース構成部は、前記処理構成部側から前記専用通信線側に前記管理情報を送る処理よりも、前記専用通信線側からの前記管理情報の収集処理及び前記処理構成部側に前記管理情報を送る処理を優先させる請求項１〜３のいずれかに記載の空気調和制御システム。
【請求項５】
前記処理構成部は、
前記管理情報に関する処理を実行する処理制御手段を備え、
前記処理制御手段は、更新可能なプログラムモジュールで形成されたことを特徴とする請求項１に記載の空気調和制御システム。
【発明の詳細な説明】
【技術分野】
【０００１】
本発明は、空気調和制御システムに関するものである。
【背景技術】
【０００２】
従来、色々なビル内に配置された複数の空気調和設備（以下、空調設備という）を、遠隔に設置された情報収集センターに接続して遠隔監視するシステムがある。このビル空調遠隔管理システムは、情報収集センターを運営する事業者が、所定の外部通信機能を有する空調設備を配備しているビルのオーナーや空調設備の使用者に対して様々なサービスを提供するためのシステムである。【０００３】
ビル空調遠隔管理システムは、情報収集センター内のサーバコンピュータと、そのサーバコンピュータに対して定期的に所定のデータ送信を行う複数の空調設備の設備管理装置とから構成されている。この遠隔監視システムにおいて、例えば、設備を監視する監視者が、伝送不良など設備を阻害する不具合が生じた場合に、その不具合に早く気づくことができる設備監視システム及び設備情報管理装置を提供するものが提案されている（特許文献１参照）。
【先行技術文献】
【特許文献】
【０００４】
【特許文献１】特開２００４−２９９０４号公報（００１７段落、第１図）
【発明の概要】
【発明が解決しようとする課題】
【０００５】
しかしながら、特許文献１等に記載された従来のビル空調遠隔管理システムは、情報収集センターがサービスを行うものであり、例えば、ビルのオーナー、空調設備の使用者等によって、個別の要求に応じたビル内の空気調和制御システムの管理を行うものではない。また、ビルのオーナー、空調設備の使用者等は、自己が管理する空気調和システムについて、空調設備の他にも、加湿器、ヒータ等の汎用機器と連携した空気調和制御を行う際に、各機器を統合管理したいとの要望があった。【０００６】
この発明は上記の課題を解決するため、汎用機器と連携した制御を行うことができ、システム管理を有効に行うことができる空気調和制御システムを提供することを目的とする。
【課題を解決するための手段】
【０００７】
本発明に係る空気調和制御システムは、１または複数の室内機と１または複数の室外機とを冷媒配管接続して構成する空気調和設備と、空気調和設備と連携した動作を行う汎用機器が接続され、汎用機器を制御する汎用機器コントローラと、空気調和設備及び汎用機器コントローラと専用通信線を介して通信可能に接続され、空気調和設備及び汎用機器コントローラから送られた通信に係る信号に基づいて、制御対象となる機器の制御を行うエネルギー管理手段とを備え、汎用機器コントローラは、空気調和制御に係る管理情報に基づいて汎用機器を制御する制御処理を行う処理構成部と、専用通信線と処理構成部との間で管理情報を送受する仲介処理を行うインターフェース構成部とを有し、インターフェース構成部は、処理構成部側に送る管理情報に係る、システム内の機器がそれぞれ有する管理アドレスと情報内容とが設定され、専用通信線を介して信号を受信すると、信号に含まれる管理アドレス及び情報内容を判断し、設定に係る管理情報を処理構成部側に送るものであり、専用通信線を介して送られる信号が、新規の送信元アドレスに対応する機器からの信号であると判断すると、管理を行うものとしてあらかじめ定められた範囲内の機器に係るアドレスで、設定の取り消しを受けたものでないと判断したアドレスを管理アドレスとして設定するものである。
【発明の効果】
【０００８】
本発明の空気調和制御システムによれば、空気調和設備、エネルギー管理手段及び汎用機器コントローラを専用通信線で接続して通信可能とすることで、例えばエネルギー管理手段から、空気調和設備とともに、汎用機器コントローラに信号を送ることで汎用機器を連携制御することができる。
【図面の簡単な説明】
【０００９】
【図１】本発明の実施の形態１に係る空気調和システム１を中心とする構成の概観を示す図である。
【図２】室外機１００の構成例を表す図である。
【図３】室内機２００の構成例を表す図である。
【図４】実施の形態１に係る汎用機器コントローラ３００及びエネルギー管理ゲートウェイ４００の構成を示す図である。
【図５】本発明の実施の形態１に係るインターフェース構成部１０００における管理情報収集に係る処理手順を示す図である。
【図６】本発明の実施の形態１に係るインターフェース構成部１０００における管理情報収集に係る処理手順を示す図である。
【図７】インターフェース構成部１０００における処理構成部２０００へ管理情報の送信に係る処理手順を示す図である。
【図８】処理構成部２０００からの管理情報の変更に対するインターフェース構成部１０００の処理手順を示す図である。
【図９】本発明の実施の形態２に係るインターフェース構成部１０００の管理アドレス等の設定に係る処理手順を表す図である。
【発明を実施するための形態】
【００１０】
以下に、本発明の実施の形態に係る空気調和制御システムについて、図面を参照して説明する。また、以下の説明において、理解を容易にするために、方向を表す用語（例えば「右」、「左」、「前」、「後」等）等を適宜用いるが、説明のためのものであって、これらの用語は本願に係る発明を限定するものではない。また、各実施の形態で説明した機器、事項を適宜組み合わせて用いることが可能である。
【００１１】
実施の形態１．
図１は、本発明の実施の形態１に係る空気調和システム１を中心とする構成の概観を示す図である。ここでは、特に空気調和システム１において通信しながら制御を行う空気調和制御システムの構成を中心に説明する。ここで、本構成は一例であって、本発明はこの構成に限定するものではない。図１に示すように、空気調和システム１は、空調設備１０を構成する室外機１００及び室内機２００、汎用機器コントローラ（設備制御装置）３００、空調制御リモートコントローラ２８０並びにエネルギー管理ゲートウェイ４００を空調専用通信線５００（以下、伝送線５００という）で通信可能に接続し、それぞれ各種データを含む信号の通信を行うことができる。例えば、エネルギー管理手段となるエネルギー管理ゲートウェイ４００は、空調設備１０の室外機１００等、汎用機器コントローラ３００に接続されている加湿器、ヒータ等の汎用機器３１０等、の制御を行う制御対象（指示対象）の機器に対して操作内容に基づく操作指令の信号等が送信される。ここで、伝送線５００を介して行われる機器間の通信は、空調設備１０等の種類により独自の通信方式（プロトコル）で、空気調和に係る通信（以下、内部通信という）が行われる。また、伝送線５００で接続する各機器は、例えば通信における固有の番号、アドレス等（以下、アドレスという）を有しており、区別されているものとする。また、各機器が通信を行う際には、信号の送信先、送信元のアドレスのデータを含めた信号を送信するものとする。
【００１２】
また、エネルギー管理ゲートウェイ４００は、汎用の通信網、例えばローカルエリアネットワーク６００（以下、ＬＡＮ６００）を介して、エネルギー管理装置４１１、コンピュータＷＥＢブラウザ４１２等の各種の外部装置４１０と接続して通信を行うことができる。また、エネルギー管理ゲートウェイ４００は、ＬＡＮ６００に接続している無線送信機器４１３を介して、外部装置４１０となる移動端末４１４とも接続し、通信を行うことができる（以下、ＬＡＮ６を介した通信を外部通信という）。また、汎用機器コントローラ３００と各種汎用機器（汎用設備機器）３１０との間も通信線等で接続し、通信を行うことができる。
【００１３】
空調設備１０は、例えばビル等の建物に設けられた１又は複数の室外機（熱源側装置）１００（図１では１台である）及び１又は複数の室内機（負荷側装置）２００（図１では３台である）により構成される。ただ、空調設備１０の構成はこれに限定するものではない。室外機１００と各室内機２００とは冷媒配管により接続されており、配管中を流れる冷媒の圧力を変化させて冷媒の吸熱、放熱により空気調和を行う。
【００１４】
図２は室外機１００の構成例を表す図である。室外機制御手段１１０は、例えば、室外機通信手段１２０が受信したエネルギー管理ゲートウェイ４００等からの信号等に基づいて、室外機１００を構成する各手段の動作を制御する。ここで、室外機制御手段１１０は、処理を行うために必要となるデータを記憶する記憶手段（図示せず）を有しているものとする。室外機通信手段１２０は、伝送線５００と接続され、伝送線５００と室外機制御手段１１０との間における信号通信のインターフェースとなる。室外機温度センサ１３０は、室外機１００周辺の温度（気温）を検知する検知手段である。ここで、室外機温度センサ１３０は室外機１００の構成の一部として記載しているが、例えば別ユニットで設ける等してもよい。
【００１５】
圧縮機１４０は、吸入した冷媒（気体）を圧縮し、運転周波数に基づく任意の圧力を加えて送り出す（吐出する）。特に限定するものではないが、例えば運転周波数を任意に変化させることにより容量（単位時間あたりの冷媒を送り出す量）を変化させることができる、インバータ回路を備えた容量可変のインバータ圧縮機としてもよい。室外機側熱交換器１５０は、熱交換器を通過する冷媒と空気との熱交換を行う。室外機側ファン１６０は、例えば室外機側熱交換器１５０に熱交換のための空気を送るものである。四方切換弁１７０は、例えば冷房運転、暖房運転に応じて、配管経路の切り替えを行うための弁である。アキュムレータ（液分離器）１８０は、液を溜め、気体の冷媒だけを圧縮機１４０に吸入させるための装置である。また、室外機側膨張弁１９０は、室外機制御手段１１０の指示に基づいて、弁の開度を調整し、冷媒の流量を制御する。
【００１６】
図３は室内機２００の構成例を表す図である。室内機制御手段２１０は、例えば、空調制御リモートコントローラ２８０（以下、空調制御リモコン２８０という）からの操作指令を含む信号、室内機通信手段２２０が受信した信号等に基づいて、室内機２００を構成する各手段の動作を制御する。ここで、室内機制御手段２１０は処理を行うために必要となるデータを記憶する記憶手段（図示せず）を有しているものとする。室内機通信手段２２０は、伝送線５００と接続され、伝送線５００と室内機制御手段２１０との間における信号通信のインターフェースとなる。ここで、本実施の形態では、室内機２００は、伝送線５００を介して直接信号の送受を行うことができるが、例えば室外機１００を介して間接に通信を行うようにしてもよい。
【００１７】
室内機温度センサ２３０は、例えば室内機２００が設けられた室内の温度（気温）を検知する検知手段である。また、室内機湿度センサ２４０は室内の湿度を検知する検知手段である。室内機温度センサ２３０、室内機湿度センサ２４０の検知に係る信号は室内機制御手段２１０に送信される。ここで、室内機温度センサ２３０、室内機湿度センサ２４０は室内機２００の構成の一部として記載しているが、例えば別ユニットで設ける等してもよい。室内機制御手段２１０は、その信号に基づいて、温度、湿度に係るデータの生成、温度、湿度のデータを含む信号を室外機１００、エネルギー管理ゲートウェイ４００に送信する等の処理を行う。
【００１８】
室内機側熱交換器２５０は、熱交換器内を通過する冷媒と空気との熱交換を行う。室内機側ファン２６０は、室内機側熱交換器２５０に空気を送り熱交換させ、さらに熱交換された空気を室内に送り込む。室内機側膨張弁２７０は、室内機制御手段２１０の指示に基づいて、弁の開度を調整し、冷媒の流量を制御する。これにより、室内機側熱交換器２５０を通過する冷媒量を制御し、室内機側熱交換器２５０における冷媒の蒸発等を調整する。空調制御リモコン２８０は、例えば操作者がリモートコントローラ等を介して入力した設定温度、運転モード等の操作指令の信号を室内機制御手段２１０に送信する。
【００１９】
エネルギー管理ゲートウェイ４００は、伝送線５００を介して通信可能に接続され、空調設備１０（室外機１００、室内機２００）、汎用機器３１０等の空気調和システム１内において管理対象となる機器の集中（統合）制御を行う装置である。ここで、例えばエネルギー管理ゲートウェイ４００が汎用機器３１０の制御をするときには、伝送線５００を介して汎用機器コントローラ３００に指示等の信号を送って汎用機器コントローラ３００が信号を処理して汎用機器３１０を制御する。
【００２０】
また、空気調和制御について、空調対象空間が目標とする温度（設定温度）の設定に基づき、室内機２００等を制御することができる。このとき、例えば目標とする温度範囲（上限温度、下限温度）が設定されると、セットバック制御を行うことができる。
【００２１】
さらに、例えばＬＡＮ６００を介して、外部装置４１０との間で、空気調和システム１の監視、管理等に係る通信を行うことができる。例えば、空調設備１０、汎用機器３１０等の電力管理をエネルギー管理ゲートウェイ４００を介してエネルギー管理装置４１１で制御することによって、空気調和システム１全体の省エネルギー化をはかることができる。ここで、外部装置４１０に送る信号中のデータについては、エネルギー管理ゲートウェイ４００が演算等の処理を行って得られた管理に係るデータ（例えば空調設備１０のグループ構成、料金等）であるものとする。また、通信には、汎用性を有するＸＭＬ（Extensible Markup Language）を送受信できるようなプロトコルを用いて行う。
【００２２】
そして、あらかじめ設定した空気調和システム１の一部又はすべての機器が消費した電力のデータを収集し、集計等の処理を行う。また、エネルギー管理ゲートウェイ４００が表示手段を有しているときには、収集した電力のデータ内容、集計した電力等を表示する。また、空気調和システム１の一部又はすべての機器の運転時間を積算する等して、課金を行うことができる。エネルギー管理ゲートウェイ４００の通信、処理等に係る装置構成については後述する。
【００２３】
汎用機器コントローラ３００は、１又は複数の汎用機器（汎用設備機器）３１０を制御する装置である。例えば伝送線５００に直接接続することができない１又は複数の汎用機器（汎用設備機器）３１０と伝送線５００との間に接続されている。例えば伝送線５００を介してエネルギー管理ゲートウェイ４００から送られた信号に基づいて、アクチュエータ等の汎用機器３１０を連携制御する。また、センサ等の汎用機器３１０から送られる信号の形式変換等を行って、伝送線５００側に送信する。ここで、汎用機器コントローラ３００は伝送線５００を介して電源供給を受けることができるものとする。汎用機器コントローラ３００の通信、処理等に係る装置構成については後述する。
【００２４】
ここで、汎用機器３１０とは、空気調和システム１と連携して空気調和を行うための換気装置、加湿器等の機器（アクチュエータ）、温度等の物理量を検知する各種センサ（検知手段）等である。また、他の空気調和に係る機器だけでなく、照明装置（システム）、防災装置（システム）等、空気調和システム１と連携した動作を行う他の設備機器、システム等であってもよい。
【００２５】
汎用機器３１０との連携制御を可能にする汎用機器コントローラ３００を備えることで、空気調和制御の幅を広げることができる。例えば、このとき、信号の変換だけでなく、連携に係る処理を行って汎用機器３１０側に制御に係る信号を送るようにすれば、空調設備１０の変更をせずにすむ。また、このため、汎用機器コントローラ３００の処理を変更するだけで連携を変更することができるので、汎用性、拡張性を高めることができる。そして、空気調和システム１の制御に汎用機器３１０を含めることができるため、独自開発等する機器の減少等を期待することができる。このため、小規模の空気調和システムに安価に対応することができる。
【００２６】
空調制御リモコン２８０は、リモコン操作部２８１を有し、空調設備１０、汎用機器コントローラ３００に接続された汎用機器３１０等の運転、停止等の指示、温度、湿度の設定等、例えば操作者がリモコン操作部２８１を介して行う各種操作に基づく信号を伝送線５００に送る。また、リモコン表示部２８２を有し、例えば伝送線５００を介して送られる信号に含まれるデータに基づく表示を行う。ここで、例えば空調制御リモコン２８０をタッチパネル方式とすることで、例えばリモコン表示部２８２には操作内容を画面表示することができる。そして、操作内容に応じて画面を切替えることができるようにすれば、例えば、空調設備１０に係る換作と汎用機器３１０に係る操作とを、表示内容を切り替えて行うことができる。
【００２７】
また、本実施の形態の空調制御リモコン２８０は、人感センサ２８３、照度センサ２８４、温湿度センサ２８５をさらに有している。人感センサ２８３は、空調制御リモコン２８０の近くに人がいるかどうかを判断するための検知手段である。例えば人がいないと判断すると、リモコン表示部２８２のバックライトを消灯させ、人がいると判断すると点灯させることで省エネルギーをはかる。照度センサ２８４は、空調制御リモコン２８０の周囲における照度を検知する手段である。温湿度センサ２８５は空調制御リモコン２８０の周囲における温度、湿度を検知する手段である。
【００２８】
ここで、本実施の形態の空調制御リモコン２８０は、操作者による汎用機器コントローラ３００に接続されている汎用機器３１０の初期設定を支援する機能を有している。そして、汎用機器コントローラ３００の汎用機器３１０の初期設定に係るデータに基づき、汎用機器３１０の運転や停止、温度や湿度設定等の各種操作入力を受付ける。また、エネルギー管理ゲートウェイ４００によって、空調設備１０及び汎用機器３１０を集中管理する場合には、例えばリモコン表示部２８２にエネルギー管理ゲートウェイ４００による集中管理を行っている旨を表示する。
【００２９】
図４は実施の形態１に係る汎用機器コントローラ３００及びエネルギー管理ゲートウェイ４００の構成を示す図である。図４（ａ）は汎用機器コントローラ３００の構成であり、図４（ｂ）はエネルギー管理ゲートウェイ４００の構成である。図４に示すように、本実施の形態における空気調和システムを構成する装置において、特に管理、制御等する装置においては、インターフェース構成部１０００と処理構成部２０００とを一体で有するようにしている。そして、インターフェース構成部１０００の構成は共通とし、処理構成部２０００の構成は各装置の機能に合わせた構成としている。
【００３０】
インターフェース構成部１０００は、例えば処理構成部２０００から送られる信号に基づき、指示に係る信号等を伝送線５００（空気調和装置等）に送る処理を行う。また、伝送線５００を流れる信号を受信してデータを収集等し、処理構成部２０００側に送るものと判断したデータを処理構成部２０００に送る処理を行う。
【００３１】
ローカル通信手段１１００は伝送線５００と接続している。ローカル通信手段１１００は伝送線５００を流れる信号を受信してデータを抽出する。また、管理情報変更手段１５００から送られる管理情報を伝送線５００に送る。管理情報収集手段１３００は、ローカル通信手段１１００が抽出したデータから必要なデータを管理情報として収集処理を行い、管理情報記憶手段１４００に記憶する。ここで、管理情報収集手段１３００は収集処理を行うためにタイマ等の計時手段を有しているものとする。管理情報記憶手段１４００は、管理情報収集手段１３００が収集した管理情報をデータとして記憶する。ここで、管理情報に係るデータとは、例えば室内機２００の運転モード、風速、風向き、室内の設定温度等である。
【００３２】
処理側通信手段１２００は、管理情報記憶手段１４００が記憶したデータを含む信号を一定時間毎に処理構成部２０００に送る。また、処理構成部２０００からの信号を管理情報変更手段１５００に送る。また、管理情報変更手段１５００は、処理側通信手段１２００を介して処理構成部２０００からの指示に基づいて、変更する管理情報の処理を行う。
【００３３】
管理アドレス設定手段１６００は、伝送線５００に接続された機器（室外機１００、室内機２００等）の中で、処理構成部２０００が管理情報を必要とする装置に対応するアドレスを設定する手段である。また、管理情報設定手段１７００は、処理構成部２０００が必要とする管理情報を設定する手段である。
【００３４】
処理構成部２０００は、前述したように装置の機能等によって構成が異なる。例えば汎用機器コントローラ３００では、図４（ａ）に示すように、コントローラ用処理制御手段２１００Ａ、センサ入力手段２８００及びアクチュエータ出力手段２９００を有している。また、エネルギー管理ゲートウェイ４００では、図４（ｂ）に示すように、エネルギー管理用処理制御手段２１００Ｂ及び外部通信手段３０００を有している。
【００３５】
コントローラ用処理制御手段２１００Ａは汎用機器コントローラ３００の機能を実現する処理を行う。また、エネルギー管理用処理制御手段２１００Ｂはエネルギー管理ゲートウェイ４００の機能を実現する処理を行う（以下、コントローラ用処理制御手段２１００Ａ、エネルギー管理用処理制御手段２１００Ｂを特に区別しない場合には処理制御手段２１００として説明する）。処理制御手段２１００は処理内容の手順をあらかじめプログラム（アプリケーション）として有しており、プログラムを実行することで各装置の機能を実現する。各装置に必要となるプログラムを記憶部等（図示せず）に記憶させ、実行させるようにすることで、各装置に対応した処理制御手段を構成することができるので、専用設計する等して各装置の処理制御手段を構成する必要がなく、設計時間の短縮等をはかることができる。また、プログラムをモジュール化し、プログラムモジュールとして構成することで、更新（機能の追加、削除等を含む）を簡単に行うことができる。
【００３６】
Ｉ／Ｆ側通信手段２２００は、処理制御手段２１００とインターフェース構成部１０００との間でデータのやりとりを行うための仲介手段である。管理情報記憶手段２４００は、Ｉ／Ｆ側通信手段２２００を介してインターフェース構成部１０００側から送られた管理情報をデータとして記憶する。管理情報変更手段２５００は、処理制御手段２１００の処理結果、外部装置４１０からの指示等に基づいて、変更する管理情報の処理を行う。変更記憶手段２６００は、管理情報変更手段２５００が変更処理した管理情報をデータとして記憶する。履歴記憶手段２７００は、管理情報の変更履歴をデータとして記憶する。
【００３７】
図４（ａ）に示す汎用機器コントローラ３００において、センサ入力手段２８００は、汎用機器３１０としてセンサを接続しているときに信号が入力される。また、アクチュエータ出力手段２９００は、汎用機器３１０としてアクチュエータ等を接続しているときに信号を出力する。そして、エネルギー管理ゲートウェイ４００において、外部通信手段３０００は、例えばＬＡＮ６００を介して外部装置４１０との通信を行うためのインターフェースとなる手段である。
【００３８】
空調制御リモコン２８０の構成についても、インターフェース構成部１０００と処理構成部２０００とを一体で有し、処理構成部２０００において、空調制御リモコン２８０の機能を実現するための処理を行っている。
【００３９】
図５は本発明の実施の形態１に係るインターフェース構成部１０００における管理情報収集に係る処理手順を示す図である。図５ではあらかじめ定めた第１所定周期毎に行う収集手順について説明する。
【００４０】
管理情報収集手段１３００は、第１所定周期が経過したものと判断すると（Ｓ１）、管理アドレス毎に、対応する装置に対して必要な管理情報の返信要求をローカル通信手段１１００を介して行う（Ｓ２）。ここで、各管理アドレスにおいて必要な管理情報毎に返信要求を行ってもよいし、必要な管理情報を一括して返信要求してもよい。
【００４１】
返信要求を行った機器から返信がなされたかどうかを判断する（Ｓ３）。このとき、ローカル通信手段１１００は、伝送線５００を流れる信号からデータを抽出する。ここで、データには、送信元アドレス、送信先アドレス、実データが含まれるものとする。返信がされたものと判断すると、返信に係る信号に含まれる送信元アドレス（管理アドレス）と実データとを関連付けて管理情報記憶手段１４００に管理情報を記憶する（Ｓ４）。そして、すべての管理アドレスに対して必要な管理情報が得られたかどうかを判断する（Ｓ５）。すべての管理情報が得られていないと判断すると、Ｓ２〜Ｓ４を繰り返す。
【００４２】
一方、すべての管理アドレスに対して必要な管理情報が得られたものと判断すると、第１所定周期をリセットして再度計時を始める（Ｓ６）。そして、所定周期２のカウントアップ条件を設定する（Ｓ７）。ここで、第２所定周期とは、インターフェース構成部１０００側から処理構成部２０００側に管理情報をまとめて送信する周期である。第２所定周期が第１所定周期より長い周期（第１所定周期＜第２所定周期）とする。
【００４３】
図６は本発明の実施の形態１に係るインターフェース構成部１０００における管理情報収集に係る処理手順を示す図である。図６では第１所定周期に関係なく収集する手順について説明する。
【００４４】
例えば伝送線５００には各種信号が流れるが、基本的に伝送線５００を流れる信号は伝送線５００に接続されたすべての装置にも伝わる。このため、管理情報収集手段１３００は、伝送線５００を流れる信号を、ローカル通信手段１１００が受信（データ抽出）したかどうかを判断する（Ｓ１１）。
【００４５】
管理情報収集手段１３００は、ローカル通信手段１１００が抽出したデータに基づいて送信元アドレスが管理アドレスと一致するかどうかを判断する（Ｓ１２）。送信元アドレスが管理アドレスと一致していないと判断すると、処理を終了してＳ１１に戻り、信号の入力待ちを行う。
【００４６】
送信元アドレスと管理アドレスとが一致したものと判断すると、さらに、実データの内容が必要とする管理情報であるかどうかを判断する（Ｓ１３）。必要な管理情報でないと判断すると、処理を終了してＳ１１に戻り、信号の入力待ちを行う。  実データが必要な管理情報であると判断すると、管理アドレスと実データとを関連付けて管理情報記憶手段１４００に管理情報を記憶する（Ｓ１４）。そして、第２所定周期のカウントアップ条件を設定する（Ｓ１５）。
【００４７】
図７はインターフェース構成部１０００における処理構成部２０００へ管理情報の送信に係る処理手順を示す図である。処理構成部２０００へ管理情報の送信は、第２所定周期毎に行うようにする。
【００４８】
管理情報収集手段１３００は、第２所定周期が経過したものと判断すると（Ｓ２１）、管理情報記憶手段１４００に記憶した管理情報を含む信号を、処理側通信手段１２００を介して処理構成部２０００に送信する（Ｓ２２）。そして、第２処理周期をリセットして再度計時を始める（Ｓ２３）。以上のようにして、各装置内において、インターフェース構成部１０００から処理構成部２０００への管理情報の引き渡し（送信）を第２所定周期毎に行うようにする。
【００４９】
図８は処理構成部２０００からの管理情報の変更に対するインターフェース構成部１０００の処理手順を示す図である。ここで、空気調和システム内に流れる信号（管理情報）に基づく、空気調和システム内の制御を優先させる。このため、処理構成部２０００からの管理情報の変更に係る処理については、インターフェース構成部１０００における収集処理、処理構成部２０００への送信処理よりも優先度を低くし、収集処理、送信処理を行っていない場合に処理を行うものである。
【００５０】
処理側通信手段１２００を介して、処理構成部２０００からの変更に係る管理情報及び変更対象となる機器の管理アドレスを受信したかどうかを判断する（Ｓ３１）。ここで、処理構成部２０００からは、変更に係る管理情報等がまとめて送られる。管理情報変更手段１５００は、例えば管理情報記憶手段１４００が記憶する管理情報と変更に係る管理情報とを比較し、相違する部分を抽出する（Ｓ３２）。そして、管理アドレス毎に、相違する部分が抽出された変更に係る管理情報を含む信号送信を、ローカル通信手段１１００を介して行う（Ｓ３３）。
すべての管理アドレスに対して管理情報送信を行ったかどうかを判断する（Ｓ３４）。すべての管理情報送信を行っていないと判断すると、Ｓ３３〜Ｓ３４を繰り返す。
【００５１】
一方、すべての管理アドレスにおける管理情報送信を行ったものと判断すると、第１所定周期及び第２所定周期をリセットして再度計時を始める（Ｓ３５）。
【００５２】
以上のように、実施の形態１の空気調和制御システムによれば、独自の通信方式の信号が流れる伝送線５００に接続する、例えば汎用機器コントローラ３００、エネルギー管理ゲートウェイ４００等の装置において、各装置をインターフェース構成部１０００と処理構成部２０００とで構成するようにしたので、インターフェース構成部１０００で信号変換処理等を行うことで、専用設計の部品ではなく汎用部品を用いて処理構成部２０００を構成し、コストを低減することができる。そして、このとき、伝送線５００を流れる信号中のデータに関して、処理構成部２０００に送る管理情報をインターフェース構成部１０００において、選択するようにしたので、伝送線５００を流れる信号から無用なデータの流出防止、処理構成部２０００の処理負荷低元等をはかることができる。
【００５３】
実施の形態２．
図９は本発明の実施の形態２に係るインターフェース構成部１０００の管理アドレス等の設定に係る処理手順を表す図である。例えば、図６に示すように、インターフェース構成部１０００には、伝送線５００を流れる信号が伝わる。このとき、管理アドレス設定手段１６００は、ローカル通信手段１１００が抽出したデータに基づいて送信元アドレスが、まだ管理アドレスとして設定されていない新規のアドレスかどうかを判断する（Ｓ４１）。
【００５４】
新規のアドレスであると判断すると、管理対象アドレスであるかどうかを判断する（Ｓ４２）。ここで、管理対象アドレスとは、装置が管理対象して定められた範囲の装置に対応するアドレスのうち、過去に管理アドレスとして設定されていないアドレスであるものとする。例えば、伝送線５００で接続される室外機１００、室内機２００のすべての機器を管理対象としなくてもよい場合がある。このため、管理対象の範囲を定めることで、装置にとって無用なアドレスを管理アドレスとして設定することがない。また、管理対象の範囲として、例えば一度管理アドレスとして設定された場合でも、処理構成部２０００の都合で管理対象外とする場合がある。管理アドレス設定手段１６００は、管理対象外としたアドレスを記憶しておき、送信元アドレスと、管理対象外のアドレスとが一致するものと判断すると、管理対象アドレスとしないようにする。
【００５５】
管理対象アドレスであると判断すると、管理対象アドレスに対応する装置に対し、必要な管理情報の返信要求をローカル通信手段１１００を介して行う（Ｓ４３）。返信要求を行った機器から返信がなされたかどうかを判断する（Ｓ４４）。返信されたものと判断すると、返信に係る信号に含まれる送信元アドレス（管理アドレス）と実データとを関連付けて管理情報記憶手段１４００に管理情報を記憶する（Ｓ４５）。
【００５６】
以上のように、実施の形態２の空気調和制御システムによれば、インターフェース構成部１０００側で管理アドレスを設定し、設定された管理アドレスに係る管理情報を処理構成部２０００側に送るようにしたので、伝送線５００を流れる信号から無用なデータの流出防止をはかることができる。
【符号の説明】
【００５７】
１  空気調和システム、１００  室外機、１１０  室外機制御手段、１２０  室外機通信手段、１３０  室外機温度センサ、１４０  圧縮機、１５０  室外機側熱交換器、１６０  室外機側ファン、１７０  四方切換弁、１９０  室外機側膨張弁、２００  室内機、２１０  室内機制御手段、２２０  室内機通信手段、２３０  室内機温度センサ、２４０  室内機湿度センサ、２５０  室内機側熱交換器、２６０  室内機側ファン、２７０  室内機側膨張弁、２８０  空調制御リモコン、２８１  リモコン操作部、２８２  リモコン表示部、２８３  人感センサ、２８４  照度センサ、２８５  温度湿度センサ、３００  汎用機器コントローラ、３１０  汎用機器、４００  エネルギー管理ゲートウェイ、４１０  外部装置、４１１  エネルギー管理装置、４１２  ＷＥＢブラウザ、４１３  無線送信機器、４１４  移動端末、５００  伝送線、６００  ＬＡＮ（ローカルエリアネットワーク）、１０００  インターフェース構成部、１１００  ローカル通信手段、１２００  処理側通信手段、１３００  管理情報収集手段、１４００  管理情報記憶手段、１５００  管理情報変更手段、１６００  管理アドレス設定手段、１７００  管理情報設定手段、２０００  処理構成部、２１００  処理制御手段、２１００Ａ  コントローラ用処理制御手段、２１００Ｂ  エネルギー管理用処理制御手段、２２００  側通信手段、２４００  管理情報記憶手段、２５００  管理情報変更手段、２６００  変更記憶手段、２７００  履歴記憶手段、２８００  センサ入力手段、２９００  アクチュエータ出力手段、３０００  外部通信手段。
【図１】
0006009586.tif 000002
【図２】
0006009586.tif 000003
【図３】
0006009586.tif 000004
【図４】
0006009586.tif 000005
【図５】
0006009586.tif 000006
【図６】
0006009586.tif 000007
【図７】
0006009586.tif 000008
【図８】
0006009586.tif 000009
【図９】
0006009586.tif 000010